(57)【要約】【課題】本発明は、壁と屋根との取り合い部に用いられ、屋根改修時に、外壁を取り除くことなく工事ができるようにした水切り金具を提供する。【解決手段】本発明に係る水切り金具は、壁と屋根との取り合い部に用いる水切り金具であって、壁側水切り材と、該壁側水切り材の裾部裏に上部が重なる立上部とその下端より屈曲した横部とを備えた屋根側水切り材と、からなることを特徴とし、壁側水切り材と屋根側水切り材との２部分に分割したので、屋根の改修に際し、壁側水切り材の表側の外壁を設置したまま、該壁側水切り材の下縁側の隙間を回すようにして、屋根側水切り材のみを簡単に取り出すことができるとともに、改修後、容易に元に戻せるように構成した。【選択図】図１
2014227752.tif 000002
【特許請求の範囲】
【請求項１】
壁と屋根との取り合い部に用いる水切り金具であって、壁側水切り材と、該壁側水切り材の裾部裏に上部が重なる立上部とその下端より屈曲した横部とを備えた屋根側水切り材と、からなることを特徴とする水切り金具。
【請求項２】
前記壁側水切り材の裾部が、段差部を介して表側に扁平に膨出していることを特徴とする請求項１に記載の水切り金具。
【請求項３】
前記屋根側水切り材の立上部の上縁が、表側に三角状に折り返され、その頂点を前記壁側水切り材の裾部裏に当接させたことを特徴とする請求項１又は２に記載の水切り金具。
【請求項４】
前記屋根側水切り材の断面形状が、変形Ｗ型になっていることを特徴とする請求項１〜３のうちの１に記載の水切り金具。
【発明の詳細な説明】
【技術分野】
【０００１】
本発明は、建物（家屋など）の下屋、庇、棟違いなどの壁と屋根との取り合い部に用いて好適な水切り金具に関するものである。
【背景技術】
【０００２】
一般に、下屋、庇、棟違いなどのある建物では、図５の如く、水切り金具が、壁５１と屋根５２との取り合い部５３に適用され、室内への水（雨水など）の進入を防いでいる。前記取り合い部５３には、壁５１に対して屋根５２の流れ方向の側面が接しているＡ部と、屋根の桁方向が接しているＢ部がある。従来の水切り金具として、特開２００５−２８２０４５号公報がある（図はＢ部のものが示されている）。これは屋根の野地板と壁との角部（取り合い部）に下葺き材（防水シート）を貼り、その屋根側に笠木を設置し、外屋根材（スレートや瓦など）を施工してから壁、笠木、屋根材を覆うように水切り金具をセットし、壁の表側に外壁を施工していた。
【特許文献１】特開２００５−２８２０４５号公報
【発明の開示】
【発明が解決しようとする課題】
【０００３】
しかしながら、上述の特許文献１に示す水切り金具は、一個物であり、しかも、外壁の施工が、スレートや瓦などの屋根材を施工し、水切り金具をセットした後に行われていたため、一定の年月が経過した後に、屋根を改修するに当たって、水切り金具を取り外すときに、外壁までも取り除く必要があり、工期や経費などにおいて大きな影響を与えることに成っていた。
【０００４】
本発明は、上記問題を解消するためのもので、その目的とするところは、壁と屋根との取り合い部に用いられ、屋根改修時に、外壁を取り除くことなく工事ができるようにした水切り金具を提供することにある。
【課題を解決するための手段】
【０００５】
上記目的を達成するため、本発明は、壁と屋根との取り合い部に用いる水切り金具であって、壁側水切り材と、該壁側水切り材の裾部裏に上部が重なる立上部とその下端より屈曲した横部とを備えた屋根側水切り材と、からなることを特徴とし、壁側水切り材と屋根側水切り材との二部分に分割して構成した。
【０００６】
また、請求項２に記載の発明は、前記壁側水切り材の裾部が、段差部を介して表側に扁平に膨出していることを特徴とし、両水切り材の重なり部での納まりを良くするように構成した。
【０００７】
さらに、請求項３に記載の発明は、前記屋根側水切り材の立上部の上縁が、表側に三角状に折り返され、その頂点を前記壁側水切り材の裾部裏に当接させたことを特徴とし、両水切り材の重なり部での隙間を埋めて裾側から水が入らないように構成した。
【０００８】
さらにまた、請求項４に記載の発明は、前記屋根側水切り材の断面形状が、変形Ｗ型になっていることを特徴とし、前記壁側水切り材の裾部の裏に、立上部を重ねた後、屋根側水切り材を笠木にピッタリ嵌合できるように構成した。
【発明の効果】
【０００９】
本発明に係る水切り金具によれば、壁側水切り材と屋根側水切り材との２部分に分割されているので、屋根の改修に際し、壁側水切り材の表側の外壁を設置したまま、該壁側水切り材の下縁側の隙間を回すようにして、屋根側水切り材のみを簡単に取り出すことができるとともに、改修後、容易に元に戻せるという優れた効果を奏するものである。
【００１０】
また、請求項２に記載の発明によれば、前記壁側水切り材に、屋根側水切り材が重なる裾部が段差部を介して表側に扁平に膨出しているので、両水切り材の重なり部での重ね易さが得られるとともに、両水切り材の納まりが良くなるという優れた効果を奏するものである。
【００１１】
さらに、請求項３に記載の発明によれば、前記屋根側水切り材の立上部の上縁が表側に三角状に折り返され、その頂点を前記壁側水切り材の裾部裏に当接させているので、両水切り材の重なり部での隙間ができないようにし、裾から入り込むかも知れない水を確実に止められるという優れた効果を奏するものである。
【００１２】
さらにまた、請求項４に記載の発明によれば、前記屋根側水切り材が、変形Ｗ型であることから、壁側水切り材の裾部の裏に、立上部を重ねた後、屋根側水切り材を笠木にピッタリ嵌合でき、しかも、笠木の側端部（垂直面）に釘やビスで固定することによって雨の浸入を防げるという優れた効果を奏するものである。
【発明を実施するための最良の形態】
【００１３】
次に、本発明の実施の態様を添付図面に基づいて説明する。図１は本願水切り金具の斜視図、図２は本願水切り金具の断面図、図３は壁と屋根との取り合い部に本願水切り金具を使用した場合の断面図、図４は壁側水切り材の下縁側を回して屋根側水切り材を取り除く過程を示す断面図、図５は下屋のある建物の外壁と屋根との取り合い部を示す斜視図である。
【００１４】
１は本願水切り金具で、薄い金属板（０．２７〜１．２０ｍｍ厚程度）からなる。該本願水切り金具１は、壁２と屋根野地板３との角部（取り合い部）４に適用されるもので、壁側水切り材５と、屋根側水切り材６の二部品からなっている。
【００１５】
前記壁側水切り材５は、前記取り合い部となる角部４より上、すなわち、壁２の裾部に適用（図示しないネジ等で固定）される。該壁側水切り材５の上部５′は、表側に折り返され、強度的に強くなるようにしている。
【００１６】
前記屋根側水切り材６は、立上部６ａと、該立上部６ａの下端から谷折り状に屈曲してなる横部６ｂとを備える。該立上部６ａの上部は、前記壁側水切り材５の裾部裏に潜り込むように使用される。また、該横部６ｂは、笠木から屋根材（スレートや瓦など）の基部寄りまでを覆う長さになっている。
【００１７】
前記屋根側水切り材６は、その立上部６ａの下端から横部６ｂをほぼ直角に屈曲させたものは、図５のＡ部に適用されるものであり、図５のＢ部に適用する場合には、横部６ｂは立上部６ａの下端から「屋根の勾配」に対応するように斜状に屈曲させている。
【００１８】
前記壁側水切り材５の裾部５ａは、前記屋根側水切り材６の立上部６ａの上部が潜り込めるように、段差部５ｂを介して表側に扁平に膨出させている。これは立上部６ａの上部を重ねるときの重ね易さと、重なる部分を予め明確化する意味を有している。また、両水切り材５、６を重ねたときの納まりを良くするためのものである。
【００１９】
前記屋根側水切り材６の立上部６ａの上部は、表側に三角形６ａ′に折り返され、その頂点６ａ″を、前記壁側水切り材５の裏面に当接させている。これは両水切り材５、６に隙間ができないようにし、裾から入り込むかも知れない水（雨水など）を確実に止めて上昇（浸入）させないようにしている。なお、水（雨水など）の浸入を防止する趣旨からすれば、該屋根側水切り材６の立上部６ａの上縁と壁側水切り材５の下縁とが互いに嵌合するように形成しても、また、屋根側水切り材６の立上部６ａの上縁を逆Ｕ字状或いは逆Ｖ字状に曲げ、その曲げ部の一部を壁側水切り材５に当接させてもよい。尤も、屋根側水切り材６及び壁側水切り材５を独立気泡発泡体にて形成し、互いに接触させるだけで雨水などの浸入を防止できにようにすることもある。
【００２０】
前記屋根側水切り材６の断面形状は、変形Ｗ型になっている。すなわち、立上部６ａと横部６ｂとの谷折部Ｖと、横部６ｂの端部寄りにある谷折部Ｖ′とでＷ型に見えるというものである。これは前記壁側水切り材５の裾部５ａの裏に、立上部６ａを重ねた後、屋根側水切り材６を笠木にピッタリ嵌合できるようするためである。また、笠木の側端部（垂直面）に釘やビスで固定することによって雨の浸入を防げるようになる。
【００２１】
次に、本願水切り金具１の使用方法を説明する。まず、壁２と屋根野地板３との角部（取り合い部）４を中心にして下葺き材７を、図３の如く張る。該下葺き材７は釘又はビス或いはステープルなどの止具（図示せず）により固定されている。該下葺き材７の上に、屋根の勾配に沿って桟木８を設置する。
【００２２】
次いで、前記下葺き材７及び桟木８に重ねて捨て板水切り材９を施工する。該捨て板水切り材９は釘又はビスなどの止具（図示せず）により固定される。しかして、捨て板水切り材９の上面とほぼ同レベルに、屋根野地板３に重ねた下葺き材７上に、屋根材（スレートや瓦など）１０を施工する。しかる後、前記桟木８と前記外屋根材１０とを跨いで笠木１１を重ねる（渡す）。この笠木１１のサイズは予め確定している。
【００２３】
前記本願水切り金具１を構成する二部分のうちの壁側水切り材５は、前記下葺き材７に重ねた捨て板水切り材９の上から壁２に、釘又はビスなどの止具（図示せず）により固定するが、その裾部５ａを浮かせる。この場合、壁側水切り材５の裾部５ａが段差部５ｂを介して表側に扁平に膨出されているときは、自然と浮かせた状態になる。
【００２４】
次いで、前記屋根側水切り材６の立上部６ａの上部６ａ′を、前記壁側水切り材５の裾部５ａの裏面に潜り込ませるように重ね、立上部６ａの下端から屈曲した横部６ｂで、前記笠木１１及び外屋根材１０を覆う。この屋根側水切り材６は、上述の如く、その断面形状が変形Ｗ型になっているので、すなわち、壁側水切り材２の裾部裏に潜り込んだ立上部６ａから横部６ｂに続く角、笠木１１の上面から側端部を落ちて屋根材上に至る角部に合致することとなる。
【００２５】
次に、笠木１１の側端部に対応して設けた釘穴またはビス穴（図示せず）を通して釘又はビス（図示せず）で笠木１１の側端部（垂直面）に止める。この笠木１１の側端部はやや下向きであり、雨を進入し難くしている。
【００２６】
前記屋根側水切り材６の施工後、防水材を張り、通気層１２′を介して外壁１２を施工する。この場合において、外壁１２の下端は屋根側の水切り材６に対して一定の距離（約２０〜８０ｍｍ）Ｍを隔てる。なお、前記外壁１２の外側を矢印イの如く流れた雨水は外屋根材１０の上に誘導され、前記外壁１２の内側の通気域１２′に矢印ロの如く進入した雨水も、外屋根材１０の上に矢印ハの如く誘導されることとなる。
【００２７】
次に、一定の年月が経過した後に、屋根を改修するに当たっては本願水切り金具１を取り外すが、このとき前記外壁１２は取り除くことなく、屋根側水切り材６を取り外すことができる。このためには、まず、笠木１１の側端部を止めていた釘またはビスを抜いて屋根側水切り材６をフリーにする。次いで、図４の如く、横部６ｂを矢印Ｙ１の如く持ち上げる。これにより、該屋根側水切り材６は、前記壁側水切り材５の裾部５ａを変形させつつ外壁１２の下端の隙間Ｍを回して簡単に取り出すことができる。
【００２８】
屋根の改修後、取り出した屋根側水切り材６の立上部６ａの上部６ａ′を前記壁側水切り材５の裾部５ａの裏面に潜り込ませることにより容易に元に戻せる。また、屋根の改修には、旧屋根材に下葺き材、新屋根材をかぶせる工法も行われる。この場合にも、前記屋根水切り材６の立上部６ａの上部６ａ′を前記壁側水切り材５の裾部５ａの裏面に潜り込ませることが可能である。
【産業上の利用可能性】
【００２９】
本発明は、下屋、庇、棟違いなどのある建物（家屋など）において生ずる外壁と屋根との取り合い部に用いて好適な水切り金具であり、広く産業上の利用可能性は高いものである。
【図面の簡単な説明】
【００３０】
【図１】本願水切り金具の斜視図である。
【図２】本願水切り金具の断面図である。
【図３】壁と屋根との取り合い部に本願水切り金具を使用した場合の断面図である。
【図４】壁側水切り材の下縁側を回して屋根側水切り材を取り除く過程を示す断面図である。
【図５】下屋のある建物の外壁と屋根との取り合い部を示す斜視図である。
【符号の説明】
【００３１】
１  本願水切り金具
２  壁
３  屋根野地板
４  角部（取り合い部）
５  壁側水切り材
６  屋根側水切り材
６ａ  立上部
６ｂ  横部
７  下葺き材
８  桟木
９  捨て板水切り材
１０  屋根材（スレートや瓦など）
１１  笠木
１２  外壁
【図１】
2014227752.tif 000003
【図２】
2014227752.tif 000004
【図３】
2014227752.tif 000005
【図４】
2014227752.tif 000006
【図５】
2014227752.tif 000007